(57)【特許請求の範囲】
【請求項１】
既設玄関ドアの屋内側露出部に対し、固定手段によって断熱材を取り付け、
前記固定手段が磁石であって、該磁石が磁力を失う温度は、前記断熱材の発火点よりも低いことを特徴とする既設玄関ドアの断熱改修方法。
【請求項２】
さらに、既設玄関ドア枠の屋内側露出部に対し、前記固定手段によって断熱材を取り付ける、請求項１に記載の既設玄関ドアの断熱改修方法。
【請求項３】
前記断熱材は、プラスチック系断熱材である、請求項１又は２に記載の既設玄関ドアの断熱改修方法。
【請求項４】
前記断熱材の表面は、樹脂系フィルムによって覆われている、請求項１〜３の何れか一項に記載の既設玄関ドアの断熱改修方法。
【請求項５】
前記固定手段が接着剤又は粘着剤であって、該接着剤又は粘着剤の融点は、前記断熱材の発火点よりも低い、請求項１〜４の何れか一項に記載の既設玄関ドアの断熱改修方法。
【請求項６】
請求項１〜５の何れか一項に記載の方法により断熱改修された既設玄関ドアを備えた建物。
【請求項７】
既設玄関ドアの屋内側露出部に対し、固定手段によって断熱材が取り付けられており、
前記固定手段が磁石であって、該磁石が磁力を失う温度は、前記断熱材の発火点よりも低いことを特徴とする玄関ドアの断熱構造。
【発明の詳細な説明】
【技術分野】
【０００１】
本発明は、建物に設けられた既設玄関ドアの断熱改修方法、及び断熱改修された既設玄関ドアを備えた建物に関する。
【背景技術】
【０００２】
従来、住宅等の建物に設けられる玄関ドアは、建物の壁と比較して熱貫流率が高く（断熱性が低く）、特に冬場においては、玄関ドアの屋内側露出部から屋内空間へ冷気が放射されることで、屋内空間の温熱環境が悪化してしまうという問題があった。
【０００３】
このような問題に対しては、例えば、既設玄関ドアを、断熱性の高い新規玄関ドアに交換して断熱性を向上させる方法があるものの、玄関ドア枠ごと交換しなければならず、大掛かりな工事が必要となってしまう。
【０００４】
そこで、既設の玄関ドア枠は取り外さずに、新規の玄関ドア枠によって既設の玄関ドア枠をカバーし、既設の玄関ドアをひと回り小さな新規の玄関ドアに交換する方法が提案されている（特許文献１参照）。
【先行技術文献】
【特許文献】
【０００５】
【特許文献１】特開２０００−９６９２３号公報
【発明の概要】
【発明が解決しようとする課題】
【０００６】
このような、既設の玄関ドア枠を残したまま、既設の玄関ドアを断熱性の高い新規ドアに交換する方法によれば、建物の温熱環境を向上させることはできる。しかしながら、既設の玄関ドア枠の内法寸法に合わせて、新規の玄関ドア枠と玄関ドアを個別に製作しなければならないため、規格化された市販の玄関ドア枠と玄関ドアを使用する場合に比べて多大な時間と費用が必要となるという問題がある。
【０００７】
それゆえ、本発明は、既設玄関ドアを交換することなく、簡易に玄関ドアの断熱性を向上させることが可能な既設玄関ドアの断熱改修方法、及び断熱改修された既設玄関ドアを備えた建物を提供することを目的とする。
【課題を解決するための手段】
【０００８】
本発明は、上記課題を解決するためになされたものであり、本発明の既設玄関ドアの断熱改修方法は、既設玄関ドアの屋内側露出部に対し、固定手段によって断熱材を取り付けることを特徴とするものである。
【０００９】
また、本発明の既設玄関ドアの断熱改修方法にあっては、さらに、既設玄関ドア枠の屋内側露出部に対し、前記固定手段によって断熱材を取り付けることが好ましい。
【００１０】
また、本発明の既設玄関ドアの断熱改修方法にあっては、前記断熱材は、プラスチック系断熱材であることが好ましい。
【００１１】
また、本発明の既設玄関ドアの断熱改修方法にあっては、前記断熱材の表面は、樹脂系フィルムによって覆われていることが好ましい。
【００１２】
また、本発明の既設玄関ドアの断熱改修方法にあっては、前記固定手段が接着剤又は粘着剤であって、該接着剤又は粘着剤の融点は、前記断熱材の発火点よりも低いことが好ましい。
【００１３】
また、本発明の既設玄関ドアの断熱改修方法にあっては、前記固定手段が磁石であって、該磁石が磁力を失う温度は、前記断熱材の発火点よりも低いことが好ましい。
【００１４】
また、本発明の建物は、上記の方法により断熱改修された既設玄関ドアを備えることを特徴とする。
【発明の効果】
【００１５】
本発明によれば、既設玄関ドアを交換することなく、簡易に玄関ドアの断熱性を向上させることが可能な既設玄関ドアの断熱改修方法、及び断熱改修された既設玄関ドアを備えた建物を提供することが可能となる。
【図面の簡単な説明】
【００１６】
【図１】（ａ）は、本発明に係る既設玄関ドアの断熱改修方法によって、断熱改修を施した玄関ドアの一例を示す、屋内側から見た正面図であり、（ｂ）は、図１（ａ）に示す玄関ドアのＡ−Ａ断面図である。
【図２】（ａ）は、本発明に係る既設玄関ドアの断熱改修方法によって、断熱改修を施した玄関ドアの他の例を示す、屋内側から見た正面図であり、（ｂ）は、図２（ａ）に示す玄関ドアのＢ−Ｂ断面図である。
【図３】（ａ）は、図２（ｂ）の部分拡大図であり、（ｂ）は、本発明を適用可能な建物の間取りの一例を示す図である。
【図４】（ａ）は、断熱改修方法を施す前の既設玄関ドアを表す正面図であり、（ｂ）は、図４（ａ）に示す玄関ドアのＣ−Ｃ断面図である。
【発明を実施するための形態】
【００１７】
以下、図面を参照しつつ、本発明に係る既設玄関ドアの断熱改修方法について詳細に説明する。本発明は、例えば、鉄骨造の２階建ての住宅に設けられた既設玄関ドアに適用することができる。ここで、図３（ｂ）は、本発明が適用される住宅の間取りの一例を部分的に示したものであり、玄関ドアの屋内側に玄関土間があり、玄関ホール、廊下を介して居間等の各部屋に繋がっている。なお、建物の外壁は、これに限定されるものではないが、例えばＡＬＣとすることができる。また、外壁の内側にプラスチック系断熱材が設けられている。
【００１８】
図１（ａ）は、本発明の断熱改修方法により断熱材Ｈを取り付けた既設玄関ドア（以下、単に「ドア」ともいう）１及び既設玄関ドア枠（以下、単に「ドア枠」ともいう）２の、屋内側から見た正面図であり、図１（ｂ）は、図１（ａ）のＡ−Ａ断面図である。また、図４（ａ）、（ｂ）は、断熱材Ｈを取り付ける前のドア１及びドア枠２を示している。
【００１９】
既設玄関ドア１は、面材や内部骨組み等の主構成部材がスチール、アルミ等の金属で構成されており、屋内側露出部には、ドア１の開閉操作を行うためのハンドル３、ドア１をロックするための錠前４、及び開いたドア１を自動で閉じるとともに開閉速度を制御するドアクローザ５等の付帯部品が取り付けられた部品部が設けられている。なお、屋内側露出部とは、ドア１を閉めた状態において屋内側に露出する部分を意味するものとする。
【００２０】
ドア１の周囲を取り囲む既設玄関ドア枠２は、建物躯体に固定されており、その主構成部材はスチール、アルミ等の金属で構成されている。ドア１は、ドア枠２に対して屋外側に開閉可能にヒンジ６によって枢着されている。なお、図示は省略するが、ドア１とドア枠２との間には気密部材が設けられており、ドア１の閉状態において、隙間からの外気の流入を遮断している。
【００２１】
本実施形態の断熱改修方法により、断熱改修を行う場合は、図４（ａ）、（ｂ）に示す既設玄関ドア１の屋内側露出部における、部品部を除いた平坦部１ａに対して、接着剤、粘着剤、又は磁石の固定手段Ｆを用いて断熱材Ｈを取り付ける。本実施形態においては、図１（ａ）に示すように、ハンドル３及び上下の錠前４を含む一部領域、並びにドアクローザ５の周囲の領域を除いて、断熱材Ｈが取り付けられている。また、本実施形態においては、ドア枠２の屋内側露出部にも、固定手段Ｆによって断熱材Ｈを取り付けている。
【００２２】
断熱材Ｈは、特に限定されず、任意のものを用いることができるが、プラスチック系断熱材とすることが好ましく、この場合には、グラスウールやロックウール等に比べて、結露による断熱性能低下を低減することができる。なお、プラスチック系断熱材としては、例えば、フェノールフォーム、ポリスチレンフォーム、ウレタンフォーム等がある。
【００２３】
なお、断熱材Ｈの表面は、樹脂系フィルム（シート）によって覆われていることが好ましく、これにより、紫外線等の影響で断熱材Ｈが劣化するのを抑制することができる。樹脂系フィルムとしては、特に限定されるものではないが、塩ビフィルムとすることが好ましく、この場合には、フィルム表面に自由な意匠を施しやすいため、容易にデザイン性を向上させることができる。また、薄いシートであるため、容易に断熱材Ｈの形状に対応させることができる。なお、樹脂系フィルムではなく、金属板で断熱材Ｈを覆うことも可能であり、この場合には、樹脂系フィルムに比べて剛性が高く、かつ燃え難いという利点がある。
【００２４】
固定手段Ｆとして接着剤又は粘着剤を用いた場合には、その融点は、断熱材Ｈの発火点よりも低いことが好ましい。このような構成とすることで、万一、外部火災が発生してドア１の屋内側露出部の表面温度が上昇した場合であっても、断熱材Ｈが発火する前に接着剤または粘着剤が保持力を失って断熱材Ｈが剥離し、断熱材Ｈの燃焼を抑制することができる。さらに、断熱材Ｈがドア１やドア枠２から剥離することで、ドア１及びドア枠２の屋内側露出部から放熱されやすくなり、ドア１やドア枠２の温度上昇を遅らせることができる。
【００２５】
なお、接着剤としては、特に限定されることなく任意のものを使用可能であるが、例えば、２８０℃前後で熱分解して発泡し、接着力（保持力）を失う特殊なウレタン系の接着剤を使用することができる。
【００２６】
また、粘着剤としては、特に限定されることなく任意のものを使用可能であるが、変性シリコーン系の粘着剤（例えば、セメダイン社製  商品名：ＢＢＸ）とすることが好ましく、これによれば、８０℃前後で保持力を失うため、剥離することが比較的容易であり、また、取り付けた面に粘着剤が残りにくいという利点がある。
【００２７】
固定手段Ｆとして磁石を用いる場合には、例えば、断熱材Ｈにおける、ドア１への取り付け面に対して、薄型の磁石を張り付けるか、あるいは、断熱材Ｈの内部に設ける。そして、金属製のドア１に磁石の磁力を利用して取り付けることができる。このように、固定手段Ｆとして磁石を用いた場合には、取り付け作業が容易であり、剥離及び再取り付けも可能である。また、固定手段Ｆとして磁石を用いる場合、磁石が磁力を失う温度（キュリー温度）が、断熱材Ｈの発火点よりも低いことが好ましい。これにより、火災時においても、断熱材Ｈが発火する前に磁石が磁力を失って断熱材Ｈが剥離し、断熱材Ｈの燃焼を抑制することができる。
【００２８】
以上のように、本発明の断熱改修方法にあっては、ドア１及びドア枠２の屋内側露出部に断熱材Ｈを取り付けることにより、主に熱を伝え易い金属で構成され、断熱性が低くなりがちな玄関ドア１の断熱性を向上し、屋内の温度低下を抑制することができる。また、既設玄関ドア１を交換することなく、そのまま利用することができるので、簡易な作業で、費用を抑えながら断熱性を向上させることができる。また、鉄骨造の建物は木造の建物に比べて一般的に建物全体の断熱性が確保し難いため、玄関ドアの断熱性を高めることで建物全体の温熱環境を高めることができる本発明の方法は特に有効である。
【００２９】
次に、図２（ａ）、（ｂ）を参照しつつ、本発明に従う他の実施形態について説明する。なお、上述した実施形態と同一の機能を有する構成は、同一の符号を付して説明を省略する。
【００３０】
本実施形態においては、図２（ａ）、（ｂ）に示すように、部品部を除く平坦部１ａに隙間なく断熱材Ｈを取り付けている。図１（ａ）のように、部品部の周囲の一部を除いて断熱材Ｈを取り付ける場合に比べて、取り付けの際の精度が要求されるものの、ドア１の屋内側露出部を、部品部を除いて隙間なく断熱材Ｈで覆うことで、より断熱性を高めることができる。
【００３１】
また、図３（ａ）に示すように、本実施形態においては、ドア枠２の屋内側露出部のうち、屋内側の前面２ａから側面２ｂにわたって断熱材Ｈが取り付けられ、ドア１に取り付けた断熱材Ｈの端部と、ドア枠２に取り付けた断熱材Ｈの端部とが前後方向に重なるように配置されている。このように、ドア枠２の屋内側露出部の側面２ｂも断熱材Ｈで覆うとともに、ドア１とドア枠２との境界部分で前後に重なるように断熱材Ｈを配置することで、さらに、断熱性を向上させることができる。また、図３（ａ）に示すように、ドア１及びドア枠２に取り付けた断熱材Ｈの隙間を、気密部材７で塞ぐことにより、さらに断熱性を高めることができる。また、本実施例においては、既設玄関ドアが設けられた建物は戸建住宅であったが、共同住宅であってもよい。断熱性が高い玄関ドアは、一般に耐火性能が劣るため、共同住宅に使用できず、断熱性が劣る玄関ドアを使用することが多い。それにもかかわらず、共同住宅の玄関ドアは共同部分に該当するため入居者が自由に取り換えることができない。そのため、建物が共同住宅である場合、既設玄関ドアの屋内側露出部に断熱材を取り付ける断熱改修は好適である。
【符号の説明】
【００３２】
１  既設玄関ドア
１ａ  平坦部
２  既設玄関ドア枠
２ａ  前面
２ｂ  側面
３  ハンドル
４  錠前
５  ドアクローザ
６  ヒンジ
Ｆ  固定手段
Ｈ  断熱材
【図１】
0006431331.tif 000002
【図２】
0006431331.tif 000003
【図３】
0006431331.tif 000004
【図４】
0006431331.tif 000005